(57)【要約】【課題】生産性を向上でき、低コストに積層ステータコアを製造し得るアキシャルギャップ型回転電機用ステータコアの製造方法を提供すること。【解決手段】電磁鋼板Ｓ１に対する打抜き位置を変え得る可動切断部Ｐ１により第一コアシート１１の内側部１１１と第二コアシート１２の内側部１２１とを形成する一方、打抜き位置を固定した固定切断部Ｐ２により第一コアシート１１の外側部１１２と第二コアシート１２の外側部１２２とを形成することによって、間隔Ｄ１〜Ｄ６を異ならせた複数の第一コアシート１１と複数の第二コアシート１２を打抜き形成し、これら複数の第一コアシート１１及び複数の第二コアシート１２をそれぞれ積層して第一コアブロックと第二コアブロックとを形成し、これら第一コアブロックと第二コアブロックとを組み合わせてステータコアを形成した。【選択図】図１
2011061882.tif 000002
【特許請求の範囲】
【請求項１】
電磁鋼板を打ち抜いて得た複数のコアシートを径方向に積層して成るアキシャルギャップ型回転電機用ステータコアの製造方法であって、
電磁鋼板に対する打抜き位置を変え得る可動切断部により互いに対向する第一コアシートの内側部と第二コアシートの内側部とを形成する一方、前記電磁鋼板に対する打抜き位置を固定した固定切断部により前記第一コアシートの外側部と前記第二コアシートの外側部とを形成することによって、前記内側部と前記外側部との間隔を異ならせた複数の第一コアシート及び複数の第二コアシートを得る打抜き工程と、
前記打抜き工程により得られた複数の第一コアシートを前記間隔の大小の順に積層して、鋼板面と斜交する傾斜側面を有する第一コアブロックを形成する積層工程と、
前記打抜き工程により得られた複数の第二コアシートを前記間隔の大小の順に積層して、鋼板面と斜交する傾斜側面を有する第二コアブロックを形成する積層工程と、
前記第一コアブロックと前記第二コアブロックとを、少なくともいずれか一方の前記傾斜側面を対向させ、円周方向の幅が内周側より外周側で大きくなるように並べてステータコアを形成する工程と、
を有することを特徴とするアキシャルギャップ型回転電機用ステータコアの製造方法。
【請求項２】
前記打抜き工程において、前記第一コアシート及び前記第二コアシートの少なくともいずれか一方のロータ対向部につば部を形成する請求項１に記載のアキシャルギャップ型回転電機用ステータコアの製造方法。
【請求項３】
前記打抜き工程において、前記第一コアシート及び前記第二コアシートの少なくともいずれか一方のバックヨーク埋込部の一部または全てにつば部を形成する請求項１に記載のアキシャルギャップ型回転電機用ステータコアの製造方法。
【請求項４】
前記打抜き工程において、前記第一コアシートの外側部と前記第二コアシートの外側部とを点対称位置で打抜き形成する請求項１〜請求項３のいずれか一つに記載のアキシャルギャップ型回転電機用ステータコアの製造方法。
【請求項５】
前記打抜き工程において、前記第一コアシート及び前記第二コアシートの外側部を電磁鋼板の磁化容易軸に対し斜めに打抜き形成する請求項１〜請求項４のいずれか一つに記載のアキシャルギャップ型回転電機用ステータコアの製造方法。
【発明の詳細な説明】
【技術分野】
【０００１】
本発明は、アキシャルギャップ型回転電機用ステータコアの製造方法に関する。
【背景技術】
【０００２】
アキシャルギャップ型回転電機は、回転軸を中心として回転可能に配設されたロータと、このロータの回転軸方向にギャップを隔てて配設されたステータとを備える回転電機である。アキシャルギャップ型回転電機は、その構造から薄型化できる点や磁極面積を大きくしてトルク密度を向上できる点で他の構造の回転電機より好ましい。
【０００３】
下記の特許文献１には、アキシャルギャップ型回転電機の積層ステータコアの製造方法として、電磁鋼板から幅の異なる複数枚のコアシートを打抜き形成し、これら複数枚のコアシートを径方向に積層することによって、コア端面（ロータ対向面）が台形形状を成すステータコアを製造する方法が開示されている。コア端面を台形にすることで、複数のステータコアを円形状に配列した際のコア同士の間のスペースを小さくすることができ、回転電機の効率を向上させることができる。
【先行技術文献】
【特許文献】
【０００４】
【特許文献１】特開２００７−２５２０６４号公報
【発明の概要】
【発明が解決しようとする課題】
【０００５】
しかしながら、従来の積層ステータコアの製造方法は、幅の異なる複数のコアシートを打抜き形成するのに、電磁鋼板に対する打抜き位置を異ならせた多数の金型を使用するか、或いは、打抜き位置を変え得る複数の可動金型を使用せざるを得ず、その生産性が低下し、製造コストがかかる難点があった。
【０００６】
本発明は、従来のアキシャルギャップ型回転電機用ステータコアの製造方法に上記のような難点があることに鑑みて為されたもので、生産性を向上でき、低コストに積層ステータコアを製造し得るアキシャルギャップ型回転電機用ステータコアの製造方法を提供することを目的とする。
【課題を解決するための手段】
【０００７】
本発明は、電磁鋼板を打ち抜いて得た複数のコアシートを径方向に積層して成るアキシャルギャップ型回転電機用ステータコアの製造方法であって、
電磁鋼板に対する打抜き位置を変え得る可動切断部により互いに対向する第一コアシートの内側部と第二コアシートの内側部とを形成する一方、前記電磁鋼板に対する打抜き位置を固定した固定切断部により前記第一コアシートの外側部と前記第二コアシートの外側部とを形成することによって、前記内側部と前記外側部との間隔を異ならせた複数の第一コアシート及び複数の第二コアシートを得る打抜き工程と、前記打抜き工程により得られた複数の第一コアシートを前記間隔の大小の順に積層して、鋼板面と斜交する傾斜側面を有する第一コアブロックを形成する積層工程と、前記打抜き工程により得られた複数の第二コアシートを前記間隔の大小の順に積層して、鋼板面と斜交する傾斜側面を有する第二コアブロックを形成する積層工程と、前記第一コアブロックと前記第二コアブロックとを、少なくともいずれか一方の前記傾斜側面を対向させ、円周方向の幅が内周側より外周側で大きくなるように並べてステータコアを形成する工程と、を有することを特徴としている。
【０００８】
また、本発明は、前記打抜き工程において、前記第一コアシート及び前記第二コアシートの少なくともいずれか一方のロータ対向部につば部を形成することを特徴としている。
【０００９】
また、本発明は、前記打抜き工程において、前記第一コアシート及び前記第二コアシートの少なくともいずれか一方のバックヨーク埋込部の一部または全てにつば部を形成することを特徴としている。
【００１０】
また、本発明は、前記打抜き工程において、前記第一コアシートの外側部と前記第二コアシートの外側部とを点対称位置で打抜き形成することを特徴としている。
【００１１】
また、本発明は、前記打抜き工程において、前記第一コアシート及び前記第二コアシートの外側部を電磁鋼板の磁化容易軸に対し斜めに打抜き形成することを特徴としている。
【発明の効果】
【００１２】
本発明に係るアキシャルギャップ型回転電機用ステータコアの製造方法によれば、ステータコアを第一コアブロックと第二コアブロックとを組み合わせて構成しているので、これら第一コアブロック及び第二コアブロックを形成する、間隔を異ならせた複数の第一コアシートと複数の第二コアシートとを、打抜き位置を変え得る一つの可動切断部と打抜き位置を固定した固定切断部とによって容易に打抜き形成することができる。したがって、従来のように、打抜き位置を異ならせた多数の金型を使用したり、打抜き位置を変え得る複数の可動金型を使用しなくても良く、生産性を向上させることができ、低コストで積層ステータコアを製造することができる。また、可動切断部により切断されて廃棄される電磁鋼板の幅を一定にすることができるため、電磁鋼板のスクラップを大幅に減らすことが可能である。
【図面の簡単な説明】
【００１３】
【図１】本実施形態のステータコアの製造方法の打抜き工程を説明する概略平面図である。
【図２】本実施形態の製造方法の積層工程を説明する斜視図である。
【図３】本実施形態の製造方法の組合せ工程を説明する斜視図である。
【図４】本実施形態の製造方法の組合せ工程を説明する平面図である。
【図５】本実施形態の製造方法により製造されたステータコアを用いたステータの分解斜視図である。
【図６】本実施形態の製造方法により製造されたステータコアを用いたアキシャルギャップ型回転電機の概略断面図である。
【図７】本発明に係る製造方法の変形例を説明する平面図である。
【図８】本発明に係る製造方法の他の変形例を説明する斜視図である。
【図９】本発明に係る製造方法の更に他の変形例を説明する平面図である。
【図１０】本発明に係る製造方法の更に他の変形例を説明する概略断面図である。
【図１１】本発明に係る製造方法の更に他の変形例を説明する斜視図である。
【図１２】本発明に係る製造方法の更に他の変形例を説明する概略平面図である。
【図１３】本発明に係る製造方法の更に他の変形例を説明する斜視図である。
【図１４】本発明に係る製造方法の更に他の変形例を説明する斜視図である。
【発明を実施するための形態】
【００１４】
本発明は、アキシャルギャップ型回転電機に用いる積層ステータコアの製造方法に関するものである。図６の概略断面図に示すように、アキシャルギャップ型回転電機１０は、回転軸１（回転軸心Ａ）を中心として回転可能に配設されたロータ２と、このロータ２の回転軸方向の両側に所定のギャップを隔てて配設された第一ステータ３及び第二ステータ４とを備えている。ロータ２は、回転軸１に固定され、回転軸心Ａを中心に回転可能な非磁性体から成るフレーム２ａと、フレーム２ａの回転軸心Ａの周りに配設され、軸方向端面に磁極面を有する複数の界磁部２ｂと、これら複数の界磁部２ｂをフレーム２ａに固定する押さえ部材２ｃとから構成されている。界磁部２ｂは、第一ステータ３側から、軟磁性体コア、永久磁石の順に積層されて成る。軟磁性体コアは、圧粉磁心や径方向に積層された電磁鋼板等、永久磁石より導電率が低い材料により構成され、永久磁石の減磁を防ぎ、永久磁石内部に発生する渦電流を低減するが、必須ではない。また、永久磁石を省き、リラクタンストルクのみで回転するモータとしてもよい。押さえ部材２ｃは、第一ステータ３側は、ステータコア３０との対向を避け、外周と内周に分割されたリング状の非磁性体金属から構成している。また、第二ステータ４側は、界磁部２ｂの全てを覆う磁性体の鋼板から成る。第二ステータ４側はトルクを発生しないため、界磁部２ｂからの磁束の一部を短絡しても問題はないからである。押さえ部材の構成についても、本実施形態は一例であり、任意に選択可能である。
【００１５】
そして、第一ステータ３は、バックヨーク３１と、バックヨーク３１に固定された複数のステータコア３０と、各ステータコア３０に巻回されたコイル３２とから構成されており、第二ステータ４はバックヨーク４１から構成されている。これら第一ステータ３及び第二ステータ４は、不図示のケーシングに固定され、このケーシングを回転軸１が回転可能に貫通している。なお、ケーシングは必須ではない。また、アキシャルギャップ型回転電機１０の構成はあくまでも一例であり、第二ステータにもコイルを有していても良いし、ステータが一つでその両側にロータがあってもよい。
【００１６】
以下、図１〜図５を参照しながら、本実施形態のアキシャルギャップ型回転電機用ステータコア３０の製造方法について説明する。
【００１７】
まず、図１に示すように、電磁鋼板Ｓ１に対する打抜き工程を行うことにより複数の第一コアシート１１と複数の第二コアシート１２とを形成する。この打抜き工程は、帯状の電磁鋼板Ｓ１を長手方向へ一定距離ずつ間欠的に送りながら（送り方向Ｆ）、上型に配設されたパンチと下型に配設されたダイとから成る複数の切断部によって、所定形状のコアシートを段階的に打抜き形成する順送型プレス機を用いて行う。
【００１８】
即ち、本実施形態では、図１に示すように、電磁鋼板Ｓ１に対する打抜き位置を変え得る可動切断部Ｐ１を打抜き作動させることによって、互いに対向する第一コアシート１１の内側部１１１と第二コアシート１２の内側部１２１とを同時に形成する。そして、電磁鋼板Ｓ１を一定距離だけ送った後、電磁鋼板Ｓ１に対する打抜き位置を固定した固定切断部Ｐ２を打抜き作動させることによって、第一コアシートの外側部１１２、ロータ対向部１１３、バックヨーク埋込部１１４、及びつば部１１５を形成すると同時に、第二コアシートの外側部１２２、ロータ対向部１２３、バックヨーク埋込部１２４、及びつば部１２５を形成する。
【００１９】
本実施形態では、第一コアシートのつば部１１５をロータ対向部１１３の外側部１１２側に形成するとともに、第二コアシートのつば部１２５をロータ対向部１２３の外側部１２２側に形成し、これらつば部１１５、１２５を電磁鋼板Ｓ１上において点対称位置で形成している。つまり、つば部１１５を含む第一コアシートの外側部１１２と、つば部１２５を含む第二コアシートの外側部１２２とを、固定切断部Ｐ２によって点対称位置で打抜き形成するようにしている。
【００２０】
このように電磁鋼板Ｓ１を間欠的に送りながら、打抜き作動毎に可動切断部Ｐ１だけを帯状電磁鋼板Ｓ１の幅方向へ所定間隔ずつ移動させることによって、図１に示すように、内側部１１１と外側部１１２との間隔（Ｄ１・Ｄ２・Ｄ３…）が異なる複数の第一コアシート１１・１１…が打抜き形成されるとともに、内側部１２１と外側部１２２との間隔（Ｄ４・Ｄ５・Ｄ６…）が異なる複数の第二コアシート１２・１２…が打抜き形成されるのである。
【００２１】
なお、本実施形態では、一つの固定切断部Ｐ２によって、第一コアシート１１の外側部１１２、ロータ対向部１１３、バックヨーク埋込部１１４、及びつば部１１５を同時に形成しているが、これらを複数の固定切断部を用いて複数段階に分けて形成することもできる。第二コアシート１２についても同様である。また、固定切断部Ｐ１と可動切断部Ｐ２との打抜き順の前後関係も不問である。
【００２２】
次に、図２に示すように、上記打抜き工程により得られた複数の第一コアシート１１・１１…を積層して第一コアブロック２１を形成するとともに、複数の第二コアシート１２・１２…を積層して第二コアブロック２２を形成する。実際は、一枚の第一コアシート１１及び第二コアシート１２を打ち抜くたびに、金型内部で積層して第一コアブロック２１及び第二コアブロック２２を形成する。
【００２３】
即ち、図２（ａ）に示すように、複数の第一コアシート１１を、各外側部１１２を揃えながら上記間隔（Ｄ１・Ｄ２・Ｄ３…）の大小の順に積層することによって、各鋼板面Ｌと所定角度で斜交する傾斜側面２１１を内側部１１１側に有する第一コアブロック２１を形成する。また、図２（ｂ）に示すように、複数の第二コアシート１２を、各外側部１２２を揃えながら上記間隔（Ｄ４・Ｄ５・Ｄ６…）の大小の順に積層することによって、各鋼板面Ｌと所定角度で斜交する傾斜側面２２１を内側部１２１側に有する第二コアブロック２２を形成する。図２では、傾斜側面２１１、２２１を平面として描いているが、実際は、電磁鋼板の板厚毎の階段状になっている。
【００２４】
この積層工程によって、第一コアブロック２１の外側部１１２側には、各鋼板面Ｌと直交する垂直側面２１２が形成され、第二コアブロック２２の外側部１２２側には、各鋼板面Ｌと直交する垂直側面２２２が形成される。また、本実施形態では、第一コアシート１１のロータ対向部につば部１１５を形成しているので、第一コアブロック２１のロータ対向部には、つば状突起２１３が形成され、第二コアシート１２のロータ対向部につば部１２５を形成しているので、第二コアブロック２２のロータ対向部には、つば状突起２２３が形成される。
【００２５】
なお、この積層工程において、複数のコアシートの固定は、例えば、プレスカシメ、ワニス含浸、レーザ溶接、樹脂モールド、或いはこれらを併用して行うことができる。
【００２６】
次に、図３及び図４に示すように、上記積層工程により得られた第一コアブロック２１と第二コアブロック２２とを、両者の傾斜側面２１１、２２１を互いに対向させ、円周方向の幅Ｗが内周側（Ｗ１）よりも外周側（Ｗ２）において大きくなるように組み合わせて並べる。こうして、ステータコア３０が形成されるのである。
【００２７】
本実施形態では、第一コアブロック２１のロータ対向部につば状突起２１３を有し、第二コアブロック２２のロータ対向部につば状突起２２３を有しているので、形成されたステータコア３０のコア端面（ロータ対向部）の磁極面積を大きくすることができる。
【００２８】
第一コアブロック２１と第二コアブロック２２との固定は、例えば、レーザ溶接、接着剤、樹脂モールド、或いはこれらを併用して行うことができる。また、互いに組み合う複数の分割式インシュレータを嵌合してブロック同士を固定しても良い。さらに、樹脂モールドにより、第一コアブロック２１と第二コアブロック２２との固定と同時にインシュレータを兼ねても良い。
【００２９】
こうして製造されたステータコア３０を複数準備し、図５に示すように、各ステータコア３０にコイル３２を装着し、円形状に配列してバックヨーク３１に固定することによって、アキシャルギャップ型回転電機用のステータ３が構成される。
【００３０】
このように本実施形態のアキシャルギャップ型回転電機用ステータコアの製造方法によれば、ステータコア３０を第一コアブロック２１と第二コアブロック２２とを組み合わせて構成するようにしているので、これら第一コアブロック２１及び第二コアブロック２２を形成する、間隔を異ならせた複数の第一コアシート１１と複数の第二コアシート１２とを、打抜き位置を変え得る一つの可動切断部Ｐ１と打抜き位置を固定した固定切断部Ｐ２とによって容易に打抜き形成することができる。したがって、従来のように、打抜き位置を異ならせた多数の金型を使用したり、打抜き位置を変え得る複数の可動金型を使用しなくても良く、生産性を向上させることができ、低コストで積層ステータコアを製造することができる。
【００３１】
また、従来、可動切断部により切断されて廃棄される電磁鋼板の幅が可変であったため、電磁鋼板のスクラップが多かったが、本実施形態では、可動切断部Ｐ１により切断されて廃棄される電磁鋼板の幅を一定にすることができるため、電磁鋼板のスクラップを大幅に減らすことが可能である。
【００３２】
また、ステータコア３０のコア端面（ロータ対向部）の周方向端部において、各鋼板面Ｌと直交する垂直側面２１２、２２２が形成されて電磁鋼板の板厚毎の段差がないため、各電磁鋼板の厚み方向において磁束密度の粗密がなく、鉄損を低減できる。さらに、ステータコア３０を構成するコアシートが周方向に二分割されているため、積層方向に流れる磁束に対する渦電流損を低減することができる。
【００３３】
また、本実施形態では、上記打抜き工程において、つば部１１５を含む第一コアシート１１の外側部１１２と、つば部１２５を含む第二コアシート１２の外側部１２２とを点対称位置で打抜き形成しているので、同一の電磁鋼板Ｓ１から得た複数の第一コアシート１１と複数の第二コアシート１２とからステータコア３０を製造することができ、生産性をより向上させることができる。勿論、一の電磁鋼板から得た第一コアシート１１を積層した第一コアブロック２１と、他の電磁鋼板から得た第二コアシート２１を積層した第二コアブロック２２とを組み合わせてステータコアを製造してもよい。この場合、つば部１１５を含む第一コアシート１１の外側部１１２と、つば部１２５を含む第二コアシート１２の外側部１２２とを送り方向Ｆに平行な線に対して線対称位置で打抜き形成することが可能となる。
【００３４】
以上、本実施形態のアキシャルギャップ型回転電機用ステータコアの製造方法について説明したが、本発明はその他の形態でも実施することができる。
【００３５】
例えば、上記実施形態では、図４に示すように、第一コアブロック２１の傾斜側面２１１と第二コアブロック２２の傾斜側面２２１とを、両者を接触させた状態で互いに対向させてステータコア３０を構成しているが、例えば、図７に示すように、第一コアブロック２１の傾斜側面２１１と第二コアブロック２２の傾斜側面２２１との間に、径方向に積層された直方体形状の第三のコアブロック５１を介在させた状態で、傾斜側面２１１、２２１を互いに対向させてステータコア５０を構成してもよい。この場合、第三のコアブロック５１は、第一コアブロック２１および第二コアブロック２２とは別の金型で打ち抜く方が好適である。積厚が異なるからである。
【００３６】
また、上記実施形態では、図２に示すように、第一コアブロック２１のロータ対向部につば状突起２１３を形成し、第二コアブロック２２のロータ対向部につば状突起２２３を形成しているが、本発明はこれに限定されるものではない。例えば、図８に示すように、内側部６１１及び外側部６１２が共に直線形状を成す長方形状の複数の第一コアシート６１を積層して第一コアブロック７１を形成するとともに、内側部６２１及び外側部６２２が共に直線形状を成す長方形状の複数の第二コアシート６２を積層して第二コアブロック７２を形成してもよい。ここでは、第一コアブロック７１の内側部６１１側に、鋼板面Ｌと斜交する傾斜側面７１１を形成し、外側部６１２側に、鋼板面Ｌと直交する垂直側面７１２を形成している。また同様に、第二コアブロック７２の内側部６２１側に、鋼板面Ｌと斜交する傾斜側面７２１を形成し、外側部６２２側に、鋼板面Ｌと直交する垂直側面７２２を形成している。
【００３７】
また、図９に示すように、第一コアブロック７１と第二コアブロック７２とを、一方の第一コアブロック７１の傾斜側面７１１のみを第二コアブロック７２に対向させた状態で、円周方向の幅Ｗが内周側（Ｗ３）より外周側（Ｗ４）で大きくなるように組み合わせて並べることによって、ステータコア６０を形成してもよい。この場合、図９に示すように、ロータの回転方向Ｒの回転後進側に、第一コアブロック７１の垂直側面７１２を位置させるようにステータコア６０を配設すれば、磁束密度が比較的に高くなるロータ対向面の垂直側面７１２側において鋼板面Ｌをロータの回転方向に沿わせることができ、垂直側面７１２側における磁束の流れを各鋼板面に沿わせることができるため、磁気抵抗を小さくすることができる。
【００３８】
なお、この変形例では、図８に示すように、複数の第一コアシート６１を各外側部６１２を揃えて積層することによって、内側部６１１側に各鋼板面Ｌと斜交する傾斜側面７１１を有する第一コアブロック７１を形成しているが、これとは逆に、複数の第一コアシート６１を各内側部６１１を揃えて積層することによって、外側部６１２側に各鋼板面Ｌと斜交する傾斜側面を有する第一コアブロックを形成するようにしてもよい。第二コアブロック７２についても同様である。
【００３９】
また、図１０に示すステータコア７０のように、第一コアブロック８１のバックヨーク埋込部につば状突起８１３を形成し、第二コアブロック８２のバックヨーク埋込部につば状突起８２３を形成するようにしてもよい。これらつば状突起８１３、８２３によって、磁束密度が比較的に高いコーナー部Ｃを避けて、ステータコア７０とバックヨーク３３との境界部Ｂを位置させることができ、磁気抵抗を低減して回転電機の効率を向上させることができる。第一コアブロック８１は、バックヨーク埋込部につば部を形成した複数の第一コアシートを積層して形成することができ、第二コアブロック８２は、バックヨーク埋込部につば部を形成した複数の第二コアシートを積層して形成することができる。なお、図１０に示すステータコア７０においては、第一コアブロック８１のバックヨーク埋込部分の全長に渡ってつば状突起８１３を形成し、第二コアブロック８２のバックヨーク埋込部分の全長に渡ってつば状突起８２３を形成しているが、それぞれのつば状突起をバックヨーク埋込部分の一部に形成してもよい。つば状突起をバックヨーク埋込部分の反ロータ側の一部に設ければ、ステータコア７０が、ロータとの間の磁気吸引力によってバックヨーク３３から抜け出るのを防ぐこともできる。
【００４０】
また、図１１に示すように、第一コアブロック１０１の傾斜側面１０１１に突起部１０１２を形成するとともに、第二コアブロック１０２の傾斜側面１０２１に溝部１０２２を形成し、これら突起部１０１２と溝部１０２２とを嵌合させて第一コアブロック１０１と第二コアブロック１０２とを組み合わせてステータコアを構成してもよい。この第一コアブロック１０１は、内側部９１１に凸部９１３を形成した複数の第一コアシート９１を積層して形成することができ、第二コアブロック１０２は、内側部９２１に凹部９２３を形成した複数の第二コアシート９２を積層して形成することができる。このことで、第一コアブロック１０１と第二コアブロック１０２とを確実に組み合わせることができ、組合わせ作業を容易化することができる。これとは逆に、第一コアブロック１０１の傾斜側面１０１１に溝部を形成し、第二コアブロック１０２の傾斜側面１０２１に突起部を形成してもよい。
【００４１】
また、図１２に示すように、電磁鋼板の打抜き工程において、第一コアシート１５及び第二コアシート１６を方向性電磁鋼板Ｓ２の磁化容易軸Ｍに対し斜めに打抜き形成してもよい。即ち、磁化容易軸Ｍに対し斜めに配設した可動切断部Ｐ３によって、第一コアシート１５の内側部１５１と第二コアシート１６の内側部１６１とを、磁化容易軸Ｍに対し斜めに形成する。そして、電磁鋼板Ｓ２を一定距離だけ送った後、磁化容易軸Ｍに対し斜めに配設した固定切断部Ｐ４によって、第一コアシートの外側部１５２、ロータ対向部１５３、バックヨーク埋込部１５４、及びつば部１５５を磁化容易軸Ｍに対し斜めに形成すると同時に、第二コアシートの外側部１６２、ロータ対向部１６３、バックヨーク埋込部１６４、及びつば部１６５を磁化容易軸Ｍに対し斜めに形成する。ここで、磁化容易軸Ｍとは、無方向性電磁鋼板において、圧延方向、つまり、フープを作成するに当って巻き方向のことを言う。無方向性電磁鋼板といえど、圧延方向についての磁気特性が良好であるためである。
【００４２】
そして、図１３に示すように、斜め打抜き工程により得られた複数の第一コアシート１５及び複数の第二コアシート１６をそれぞれ積層して第一コアブロック２５及び第二コアブロック２６を形成し、これら第一コアブロック２５と第二コアブロック２６とを組み合わせてステータコア３５を形成してもよい。
【００４３】
この場合、図１３に示すように、ステータコア３５のロータ対向面（ロータ対向部１５３、１６３）側において、第一コアシート１５の磁化容易軸Ｍがロータの回転方向Ｒの回転後進側を指向するようにステータコア３５を配設すれば、磁束密度が比較的に高くなる、回転後進側の第一コアブロック２５のロータ対向面において、磁束の流れる方向と磁化容易軸Ｍが略平行になるので、磁気抵抗を低減することができ、回転電機の効率を向上させることができる。第二コアシート１６については、磁化容易軸Ｍがロータの回転方向Ｒの回転前進側を指向するようになるが、磁束密度が比較的低いため不問である。また、第一コアシート１５及び第二コアシート１６を電磁鋼板の磁化容易軸Ｍに対し斜めに打抜き形成するので、つば部１５５、１６５を形成する場合であっても、電磁鋼板の幅を最小化でき、スクラップを低減することが可能である。
【００４４】
なお、このステータコア３５は、一の方向性電磁鋼板Ｓ２から斜め打抜きして得た第一コアシート１５を積層した第一コアブロック２５と、他の方向性電磁鋼板から斜め打抜きして得た、第一コアシート１５とは磁化容易軸Ｍが反対向きの第二コアシート１６を積層した第一コアブロック２６とを組み合わせて製造することもできる。また、ここでは、磁化容易軸Ｍを有する方向性電磁鋼板Ｓ２を用いているが、圧延方向に沿って極端に磁化容易軸を有する所謂無方向性電磁鋼板を用いてもよい。
【００４５】
また、図１４に示すように、第一コアブロック２１０の垂直側面２１２０の外周側に、疑似的なアール部２１４０を形成するとともに、第二コアブロック２２０の垂直側面２２２０の外周側に、疑似的なアール部２２４０を形成し、これら第一コアブロック２１０と第二コアブロック２２０とを組み合わせてステータコアを構成してもよい。これらアール部２１４０、２２４０を形成することによって、ステータコアの外周部においてコイルの曲げ部に巻太りが発生しコイル外形が膨れてしまうのを防ぐことができる。
【００４６】
図１４に示すように、第一コアブロック２１０のアール部２１４０は、外周側に積層された数枚の第一コアシート１１０´において、その内側部１１１０と外側部１１２０との間隔を小さくすることにより形成することができる。同様に、第二コアブロック２２０のアール部２２４０は、外周側に積層された数枚の第一コアシート１２０´において、その内側部１２１０と外側部１２２０との間隔を小さくすることで形成することができる。これら第一コアシート１１０´及び第二コアシート１２０´は、電磁鋼板の打抜き工程において、コアシートの外側部１１２０、１２２０を打抜き形成する固定切断部を複数パターン用意し、これら複数の固定切断部を使い分けて打抜き形成することができる。なお、図１４は各積層鋼板の厚みを誇張して図示しており、第一コアブロック２１０及び第二コアブロック２２０の外周側の２枚の第一コアシート１１０´及び第二コアシート１２０´の前記間隔を小さくしているが、第一コアシート１１０´及び第二コアシート１２０´の枚数、その間隔は種々の設計変更が可能である。また、このアール部は、第一コアブロック２１０及び第二コアブロック２２０の垂直側面の内周側に形成してもよい。
【００４７】
また、本発明はその趣旨を逸脱しない範囲内で、当業者の知識に基づいて種々の改良、修正、変形を加えた態様で実施し得る。同一の作用又は効果が生じる範囲内でいずれかの発明特定事項を他の技術に置換した形態で実施しても良く、また、一体に構成されている発明特定事項を複数の部材から構成したり、複数の部材から構成されている発明特定事項を一体に構成した形態で実施しても良い。例えば、両側にロータを有する形状であれば、バックヨークがなく、ティースの両側に等しくつばを設けることも可能である。この場合、上下対称のつばとなるため、第一コアブロックと第二コアブロックを、第一コアシートと第二コアシートのいずれの組み合わせにより作成するかが任意となる。
【符号の説明】
【００４８】
１０：アキシャルギャップ型回転電機
１：回転軸
２：ロータ
３：ステータ
３０、３５、５０、６０、７０：ステータコア
３１、３３：バックヨーク
３２：コイル
Ｓ１、Ｓ２：電磁鋼板
Ｍ：磁化容易軸
Ｐ１、Ｐ３：可動切断部
Ｐ２、Ｐ４：固定切断部
１１、１５、６１、９１、１１０：第一コアシート
１１１、１５１、６１１、９１１、１１１０：内側部
１１２、１５２、６１２、９１２、１１２０：外側部
１１３、１５３：ロータ対向部
１１４、１５４：バックヨーク埋込部
１１５、１５５：つば部
１２、１６、６２、９２、１２０：第二コアシート
１２１、１６１、６２１、９２１、１２１０：内側部
１２２、１６２、６２２、９２２、１２２０：外側部
１２３、１６３：ロータ対向部
１２４、１６４：バックヨーク埋込部
１２５、１６５：つば部
Ｄ１〜Ｄ６：内側部と外側部との間隔
２１、２５、７１、８１、１０１、２１０：第一コアブロック
２１１、７１１、１０１１：傾斜側面
２２、２６、７２、８２、１０２、２２０：第二コアブロック
２２１、７２１、１０２１：傾斜側面
Ｌ：鋼板面
【図１】
2011061882.tif 000003
【図２】
2011061882.tif 000004
【図３】
2011061882.tif 000005
【図４】
2011061882.tif 000006
【図５】
2011061882.tif 000007
【図６】
2011061882.tif 000008
【図７】
2011061882.tif 000009
【図８】
2011061882.tif 000010
【図９】
2011061882.tif 000011
【図１０】
2011061882.tif 000012
【図１１】
2011061882.tif 000013
【図１２】
2011061882.tif 000014
【図１３】
2011061882.tif 000015
【図１４】
2011061882.tif 000016